(57)【要約】      （修正有）【課題】安価で容易に脱着作業ができて、椅子や机の脚部から外れてしまう不具合を皆無に等しくした脚部保護カバーを提供する。【解決手段】脚部１０ａの先端部分に嵌挿して用いられる脚部保護カバーＣであって、上記脚部１０ａの先端部分の形状に適合した袋状のカバー部材１の内周面に、所定の間隔をあけて複数の滑り止め部材２を点溶着すると共に、カバー部材１の内面底部と脚部１０ａの先端面に、互いが係止する係止手段３，３を設けた構成とする。カバー部材１の内周面に複数の滑り止め部材２が点溶着されているので、脚部１０ａの周面とカバー部材１との間に摩擦力が生じて外れにくく、カバー部材１の内面底部と脚部１０ａの先端面に、互いが係止する係止手段３，３を設けることで、脚部保護カバーＣが椅子１０の脚部１０ａから外れてしまう不具合が皆無に等しくなる。【選択図】図５
0003187233.tif 000002
【実用新案登録請求の範囲】
【請求項１】
脚部の先端部分に嵌挿して用いられる脚部保護カバーであって、
上記脚部の先端部分の形状に適合した袋状のカバー部材の内周面に、所定の間隔をあけて複数の滑り止め部材を点溶着すると共に、カバー部材の内面底部と脚部の先端面に、互いが係止する係止手段を設けたことを特徴とする脚部保護カバー。
【請求項２】
上記係止手段が、カバー部材の内面底部と脚部の先端面にそれぞれ両面テープで貼着された面ファスナーであることを特徴とする請求項１に記載の脚部保護カバー。
【請求項３】
上記係止手段が、上記カバー部材の内面底部に設けられた縫い目と、上記脚部の先端面に両面テープで貼着された雄型の面ファスナーであることを特徴とする請求項１に記載の脚部保護カバー。
【考案の詳細な説明】
【技術分野】
【０００１】
本考案は、椅子や机の脚部の先端部分に嵌挿して用いることで、脚部とフローリングされた床面双方の損傷を防止する脚部保護カバーに関する。
【背景技術】
【０００２】
従来の椅子脚カバーは、布製や毛糸製のものが主流であり、安価で脱着作業が容易である反面、布や毛糸は滑り易いので、直ぐに椅子の脚部から外れてしまうという問題があった。
【０００３】
そこで、本出願人は、家具用品等の椅子の脚部に嵌挿して使用する椅子脚カバーであって、該椅子脚大に適合した袋状を形成した毛糸等の保護部材本体と、且つ、該保護部材本体の内面底部と内周部に、所定の幅と所定の間隔で複数のゴム等の抑止部材を点溶着して構成された抜け防止付椅子脚カバーを提案した（特許文献１）。
【０００４】
上記特許文献１の抜け防止付椅子脚カバーは、保護部材本体の内面底部と内周部に複数の抑止部材を点溶着することで、椅子の脚部と抜け防止付椅子脚カバーとの間に摩擦力が生じ、従来の椅子脚カバーのように、椅子の脚部から簡単に外れてしまうことがない優れたものであった。
【先行技術文献】
【特許文献】
【０００５】
【特許文献１】実用新案登録第３０９０４５９号
【考案の概要】
【考案が解決しようとする課題】
【０００６】
特許文献１の抜け防止付椅子脚カバーは、上記のように、保護部材本体の内面底部と内周部に複数の抑止部材を点溶着しているので、椅子の脚部から簡単に外れてしまうことはなかったが、例えば、椅子の脚部を床面に接地させながら引きずるようにして椅子を移動させた際などに、稀に椅子の脚部から外れてしまうことがあった。
【０００７】
本考案は上記の問題に鑑みてなされたもので、その解決しようとする課題は、安価で容易に脱着作業ができるというメリットはそのままに、椅子や机の脚部から外れてしまう不具合を皆無に等しくした脚部保護カバーを提供することにある。
【課題を解決するための手段】
【０００８】
上記目的を達成するため、本考案に係る脚部保護カバーは、脚部の先端部分に嵌挿して用いられる脚部保護カバーであって、上記脚部の先端部分の形状に適合した袋状のカバー部材の内周面に、所定の間隔をあけて複数の滑り止め部材を点溶着すると共に、カバー部材の内面底部と脚部の先端面に、互いが係止する係止手段を設けたことを特徴とするものである。
【０００９】
本考案の脚部保護カバーにおいては、上記係止手段が、カバー部材の内面底部と脚部の先端面にそれぞれ両面テープで貼着された面ファスナーであったり、上記係止手段が、上記カバー部材の内面底部に設けられた縫い目と、上記脚部の先端面に両面テープで貼着された雄型の面ファスナーであることが好ましい。
【考案の効果】
【００１０】
本考案の脚部保護カバーは、袋状のカバー部材の内周面に複数の滑り止め部材が点溶着されているので、椅子や机の脚部の先端部分の周面とカバー部材の内周面との間に摩擦力が生じて外れにくくなっており、それに加えて、カバー部材の内面底部と脚部の先端面に、互いが係止する係止手段を設けることで、カバー部材の内面底部と脚部の先端面も確実に係止し、脚部保護カバーが椅子や机の脚部から外れてしまう不具合が皆無に等しくなる。
【００１１】
また、上記係止手段が、カバー部材の内面底部と脚部の先端面にそれぞれ両面テープで貼着された面ファスナーである脚部保護カバーや、或いは、上記係止手段が、前記カバー部材の内面底部に設けられた縫い目と、前記脚部の先端面に両面テープで貼着された雄型の面ファスナーである脚部保護カバーは、カバー部材の内面底部と脚部の先端面を、簡単且つ強固に係止させることができるにも拘わらず、脚部保護カバーの取外しも容易に行うことができるので、特に好ましい。
【図面の簡単な説明】
【００１２】
【図１】本考案の第一実施形態に係る脚部保護カバーの正面図である。
【図２】同保護カバーを裏返しにして網目を省略した状態を示すものであって、（ａ）は正面図、（ｂ）は右側面図である。
【図３】同保護カバーの使用態様を示す斜視図である。
【図４】同保護カバーを椅子の脚部の先端部分に嵌挿する方法を示す説明図である。
【図５】同保護カバーを椅子の脚部の先端部分に嵌挿した状態を示す断面図である。
【図６】本考案の第二実施形態に係る保護カバーを裏返しにして網目を省略した状態を示す正面図である。
【図７】同保護カバーを椅子の脚部の先端部分に嵌挿する方法を示す説明図である。
【図８】同保護カバーを椅子の脚部の先端部分に嵌挿した状態を示す断面図である。
【考案を実施するための形態】
【００１３】
以下、図面を参照して本考案の具体的な実施形態を詳述する。
【００１４】
図１に示す本考案の第一実施形態に係る脚部保護カバーＣ（以下、単に保護カバーＣという。）は、図３に示すように、椅子１０の脚部１０ａの先端部分（下端部）に嵌挿して用いることで、椅子１０の脚部１０ａと床面双方の損傷を防止するためのものであって、図２、図４、図５に示すように、脚部１０ａの先端部分の形状に適合した袋状のカバー部材１の内周面に、所定の間隔Ｓをあけて複数の滑り止め部材２を点溶着すると共に、カバー部材１の内面底部と脚部１０ａの先端面に、互いが係止する係止手段３，３を設けたものである。
【００１５】
カバー部材１は、脚部１０ａの先端部分の形状に適合するよう毛糸（ナイロン及び／又はポリエステル製）で袋状に編まれたものであって、図１に示すように、所々、毛糸の色彩を変えて外観のアクセントにしている。このカバー部材１は、本実施形態のように、毛糸製の他にも布製のものも考えられるが、毛糸製のカバー部材１は伸縮するので、様々な外径の脚部１０ａに嵌挿することができて都合がよく、その際、脚部１０ａから外れにくくするため、脚部１０ａの外径よりも若干小さめに形成されている。
【００１６】
上記カバー部材１の内周面（カバー部材１を裏返した面）には、図２に示すように、複数の滑り止め部材２が点溶着されている。この滑り止め部材２は、保護カバーＣが脚部１０ａから外れてしまうのを防止するために設けられたもので、脚部１０ａの先端部分の周面とカバー部材１の内周面との間に大きい摩擦力が生じるゴム製やポリ塩化ビニル製のものが滑り止め部材２として好適に用いられる。
【００１７】
滑り止め部材２は、所定の間隔Ｓをあけて一列に複数個点溶着されており、この列が複数（本実施形態では３列）設けられている。所定の間隔Ｓは、摩擦力を考慮すると２ｍｍ〜２０ｍｍ程度であることが好ましく、２０ｍｍより間隔を長くすると摩擦力が弱まるので滑り止め部材２を点溶着する意味合いが薄くなって好ましくない。
【００１８】
このような滑り止め部材２をカバー部材１の内周面に点溶着することで、椅子１０の脚部１０ａの先端部分の周面とカバー部材１の内周面との間に摩擦力が生じて、保護カバーＣが脚部１０ａから簡単に外れてしまうことがなくなる。
【００１９】
上記のように、カバー部材１の内周面に滑り止め部材２を点溶着することで、保護カバーＣが脚部１０ａから簡単に外れてしまうことはないが、より確実に保護カバーＣが脚部１０ａから外れてしまうのを防止するため、本考案の保護カバーＣは、上記滑り止め部材２に加えて係止手段３を設けている。
【００２０】
この係止手段３は、図２の（ｂ）、図５に示すように、カバー部材１の内面底部と脚部１０ａの先端面（床面との接地面）にそれぞれ設けられた面ファスナーであって、両面テープ３ａ，３ａによってカバー部材１の内面底部と脚部１０ａの先端面に貼着されている。このようにカバー部材１と脚部１０ａとの係止手段３を面ファスナーにすることで、簡単に双方を係止させることができる。
【００２１】
即ち、図４に示すように、保護カバーＣのカバー部材１を裏返し、脚部１０ａの先端面に設けられた係止手段３にカバー部材１の係止手段３を押し付けるだけで、カバー部材１と脚部１０ａは強固に係止する。そして、カバー部材１の係止手段３と脚部１０ａの係止手段３を係止させると、カバー部材１を脚部１０ａに被せていって、カバー部材１が完全に表面に戻った状態で取付け作業は完了する。一方、係止手段３は面ファスナーあるので、簡単且つ強固に係止させることができるにも拘わらず、容易に係止状態を解除して保護カバーＣを取外すこともできる。
【００２２】
本実施形態の保護カバーＣは、上記の滑り止め部材２に加えて係止手段３をカバー部材１及び脚部１０ａに設けることで、カバー部材１の内面底部と脚部１０ａの先端面も確実に係止し、椅子１０の脚部１０ａを床面に接地させながら引きずるように椅子１０を移動させたとしても、保護カバーＣが椅子１０の脚部１０ａから外れてしまう不具合はなく、椅子１０の脚部１０ａと床面双方の損傷を防止する優れたものである。
【００２３】
≪第二実施形態≫
次に、本考案の第二実施形態に係る脚部保護カバーＣ（以下、単に保護カバーＣという。）も、上記第一実施形態と同様に、図３に示すように、椅子１０の脚部１０ａの先端部分（下端部）に嵌挿して用いることで、椅子１０の脚部１０ａと床面双方の損傷を防止するためのものであって、図６、図７、図８に示すように、脚部１０ａの先端部分の形状に適合した袋状のカバー部材１の内周面に、所定の間隔Ｓをあけて複数の滑り止め部材２を点溶着するとともに、カバー部材１の内面底部に設けられた縫い合わせ部２ａと、脚部１０ａの先端面に両面テープで貼着された雄型の面ファスナー３ｂと、を設けたものである。
【００２４】
即ち、本実施形態では、カバー部材１の内面底部に設けられた縫い合わせ部２ａと、脚部１０ａの先端面に両面テープで貼着された雄型の面ファスナー３ｂと、が係止手段である。本考案者は、ナイロン及び／又はポリエステル製の毛糸で構成されたカバー部材１の内面底部に設けられた縫い合わせ部２ａが、ある程度毛羽立っているいることから、雄型の面ファスナー３ｂとうまく固着することを見出し、雌型の面ファスナーと雄型の面ファスナーの組合せを用いなくとも、保護カバーＣを脚部１０aに確実に係止させることができる。
【００２５】
本実施形態の保護カバーＣは、上記の滑り止め部材２に加えて係止手段として、カバー部材１の内面底部に設けられた縫い合わせ部２ａと、脚部１０ａの先端面に両面テープで貼着された雄型の面ファスナー３ｂと、を設けることで、カバー部材１の内面底部と脚部１０ａの先端面も確実に係止し、椅子１０の脚部１０ａを床面に接地させながら引きずるように椅子１０を移動させたとしても、保護カバーＣが椅子１０の脚部１０ａから外れてしまう不具合はなく、椅子１０の脚部１０ａと床面双方の損傷を防止する優れたものである。
【００２６】
尚、上記第一実施形態及び第二実施形態の椅子１０の脚部１０ａは円柱状のものであるが、カバー部材１は伸縮する毛糸製なので、角柱状の脚部であっても同様に取付けることができることは言うまでもない。また、椅子１０の脚部１０ａの他にも、本考案の保護カバーＣを机の脚部に取付けても、同様に床面の損傷を防止することができるので好ましい。
【符号の説明】
【００２７】
Ｃ    脚部保護カバー
１    カバー部材
２    滑り止め部材
２ａ  縫い合わせ部
３    係止手段（面ファスナー）
３ａ  両面テープ
３ｂ  係止手段（雄型の面ファスナー）
１０  椅子
１０ａ  脚部
【図１】
0003187233.tif 000003
【図２】
0003187233.tif 000004
【図３】
0003187233.tif 000005
【図４】
0003187233.tif 000006
【図５】
0003187233.tif 000007
【図６】
0003187233.tif 000008
【図７】
0003187233.tif 000009
【図８】
0003187233.tif 000010